(57)【要約】【課題】  簡易な操作によって、他のカメラに設定されている撮影条件と同じ条件を設定することが可能なカメラを提供する。【解決手段】  本発明に係るカメラは、撮影条件情報を格納するためのメモリ５、他のカメラを接続するためのＵＳＢコネクタ８、及びＣＰＵ６を具えている。ＣＰＵ６は、ＵＳＢコネクタ８に他のカメラが接続されている状態で、該コネクタ８から得られる撮影条件情報を前記メモリ５に格納する。【選択図】      図１
2005073201.tif 000002
【特許請求の範囲】
【請求項１】
撮影条件情報の設定に応じて撮影動作を実行するカメラにおいて、他のカメラとの間で通信が可能であって、
他のカメラから送信された撮影条件情報を受信する受信手段と、
撮影条件情報を設定するための撮影条件設定手段と、
受信手段によって撮影条件情報が受信されたとき、該撮影条件情報を前記撮影条件設定手段に設定する情報処理手段
とを具えていることを特徴とするカメラ。
【請求項２】
ユーザによる情報送信操作に応じて、撮影条件設定手段に設定されている撮影条件情報を他のカメラに送信する送信手段を具えている請求項１に記載のカメラ。
【請求項３】
ユーザ操作に応じて、撮影条件情報の受信動作及び送信動作の何れの動作を実行すべきかを判断する判断手段を具え、受信動作を実行すべきであると判断されたときに、前記受信手段は受信動作を実行する一方、送信動作を実行すべきであると判断されたときに、前記送信手段は送信動作を実行する請求項２に記載のカメラ。
【請求項４】
ケーブルによって他のカメラを接続することが可能であって、形状の異なる複数種類のケーブルプラグを差し込むことが可能なコネクタを具えており、前記判断手段は、コネクタにケーブルプラグが差し込まれたとき、該プラグの形状に基づいて受信動作及び送信動作の何れの動作を実行すべきかを判断する請求項３に記載のカメラ。
【請求項５】
前記撮影条件情報は、シャッター速度、レンズの絞り値、ストロボの発光条件、撮影画像の大きさ、撮影画像の画質、ズーム機能の条件、ホワイトバランス値、撮影画像の鮮明さ、及び時刻表示についての条件の中から選ばれた１或いは複数の条件を表わす情報である請求項１乃至請求項４の何れかに記載のカメラ。
【発明の詳細な説明】
【技術分野】
【０００１】
本発明は、撮影条件情報の設定に応じて撮影動作を実行するカメラに関するものである。
【背景技術】
【０００２】
近年、ＣＣＤ(固体撮像素子)によって撮影された画像をデジタルデータとして記録媒体に記録するデジタルカメラが普及している。
デジタルカメラにおいては、シャッター速度、レンズの絞り値、ストロボの発光条件、ホワイトバランス値等、種々の撮影条件を設定することが可能となっており、ユーザは撮影に先立って所望の撮影条件を設定しておくことにより、所望の品質の撮影画像を得ることが出来る。
【０００３】
しかし、初心者にとっては、多数の撮影条件を適切な条件に設定することは困難であるため、高品質な撮影画像を得ることが出来ない。そこで、初心者が撮影を行なう際には、後述の手順で、自己のカメラの撮影条件を熟練者のカメラに設定されている撮影条件と同じ条件に設定することが行なわれる。
即ち、初心者は、先ず熟練者のカメラに対し撮影条件を表示させるための操作を行なって、該カメラに設定されている撮影条件を確認し、続いて、自己のカメラに対し撮影条件の設定画面を表示させるための操作を行なった後、自己のカメラの撮影条件を前記確認した撮影条件と同じ条件に設定する操作を行なう。この様にして自己のカメラの撮影条件を熟練者のカメラの撮影条件と同じ条件に設定した後、撮影操作を行なえば、熟練者と同じ高品質な撮影画像を得ることが出来る。
【０００４】
尚、複数台のカメラを自由に組み合わせて使うことが出来るカメラシステムが提案されている(特許文献１参照)。該カメラシステムを構成するカメラにおいては、撮像素子の出力信号に撮像素子の画素周期を表わす同期信号と水平及び垂直方向の位置を表わす同期信号とが重畳され、これによって得られる映像信号が外部装置に出力される。外部装置では、映像信号に重畳されている同期信号に基づいて、カメラとの間で水平方向及び垂直方向の同期がとられることになる。
【特許文献１】特開平８−１８８４４号公報[H04N 5/232]
【発明の開示】
【発明が解決しようとする課題】
【０００５】
しかしながら、従来のデジタルカメラにおいては、上述の如く初心者が自己のカメラの撮影条件を熟練者のカメラの撮影条件と同じ条件に設定するためには、熟練者のカメラに対し撮影条件表示操作を行なった後、自己のカメラに対し設定画面表示操作及び撮影条件設定操作を行なわねばならず、この一連の操作が煩雑である問題があった。
そこで本発明の目的は、簡易な操作によって、他のカメラに設定されている撮影条件と同じ条件を設定することが可能なカメラを提供することである。
【課題を解決するための手段】
【０００６】
本発明に係るカメラは、他のカメラとの間で通信が可能であって、
他のカメラから送信された撮影条件情報を受信する受信手段と、
撮影条件情報を設定するための撮影条件設定手段と、
受信手段によって撮影条件情報が受信されたとき、該撮影条件情報を前記撮影条件設定手段に設定する情報処理手段
とを具えている。
【０００７】
上記本発明に係るカメラに他のカメラの撮影条件と同じ条件を設定せんとする際には、本発明に係るカメラと他のカメラとをケーブルによって接続した状態、或いは、両カメラを無線通信が可能な範囲内に配置した状態で、他のカメラに対し所定の情報送信操作を行なうことによって、該カメラに設定されている撮影条件情報を本発明に係るカメラに向けて送信させる。撮影条件情報は、例えば、シャッター速度、レンズの絞り値、ストロボの発光条件、撮影画像の大きさ、撮影画像の画質、ズーム機能の条件、ホワイトバランス値、撮影画像の鮮明さ、及び時刻表示についての条件の中から選ばれた１或いは複数の条件を表わす情報である。
本発明に係るカメラにおいては、受信手段によって、上述の如く送信された撮影条件情報が受信され、情報処理手段によって、該撮影条件情報が撮影条件設定手段に設定される。その後、ユーザにより撮影操作が行なわれると、該撮影条件設定手段に設定されている撮影条件情報に応じた撮影動作が実行される。
【０００８】
具体的には、ユーザによる情報送信操作に応じて、撮影条件設定手段に設定されている撮影条件情報を他のカメラに送信する送信手段を具えている。従って、該具体的構成を有する２台のカメラ間で、撮影条件情報の送受信を行なうことが出来る。
【０００９】
又、具体的には、ユーザ操作に応じて、撮影条件情報の受信動作及び送信動作の何れの動作を実行すべきかを判断する判断手段を具え、受信動作を実行すべきであると判断されたときに、前記受信手段は受信動作を実行する一方、送信動作を実行すべきであると判断されたときに、前記送信手段は送信動作を実行する。
【００１０】
２台のカメラに両カメラ間で撮影条件情報の送受信を行なわせる場合には、各カメラに送信動作及び受信動作の何れの動作を実行すべきかを認識させる必要がある。
そこで、上記具体的構成においては、ユーザによって送信動作及び受信動作の何れかの動作を選択する操作が行なわれ、該操作に応じて、撮影条件情報の受信動作及び送信動作の何れの動作を実行すべきかが判断される。受信動作を実行すべきであると判断された場合には、受信手段によって、撮影条件情報を受信する動作が実行される一方、送信動作を実行すべきであると判断された場合には、送信手段によって、ユーザによる情報送信操作が行なわれたときに撮影条件情報を送信する動作が実行される。
【００１１】
更に具体的には、ケーブルによって他のカメラを接続することが可能であって、形状の異なる複数種類のケーブルプラグを差し込むことが可能なコネクタを具えており、前記判断手段は、コネクタにケーブルプラグが差し込まれたとき、該プラグの形状に基づいて受信動作及び送信動作の何れの動作を実行すべきかを判断する。
【００１２】
パーソナルコンピュータを介さずに他の周辺機器を直接に接続することを可能とするインターフェース規格として、“ＵＳＢ  ＯＴＧ(On The Go)”と称される規格が知られており、該規格に準拠したコネクタは、形状の異なる２種類のプラグを互換性をもって差し込むことが可能となっている。
上記具体的構成を有するカメラは、上記規格に準拠したコネクタを具えており、該コネクタにケーブルプラグが差し込まれたときに、該プラグの形状に基づいて、送信動作及び受信動作の何れの動作を実行すべきかを判断する。
【発明の効果】
【００１３】
本発明に係るカメラにおいては、他のカメラに対して所定の情報送信操作を行なうだけで、該カメラに設定されている撮影条件と同じ撮影条件が自動的に設定されるので、従来のデジタルカメラに比べて操作が簡易である。
【発明を実施するための最良の形態】
【００１４】
以下、本発明をデジタルカメラに実施した形態につき、２つの実施例に基づいて具体的に説明する。
第１実施例
本実施例のデジタルカメラは、図１に示す如く、撮影レンズ(１)と、撮影レンズ(１)から取り込まれた画像光線を光電変換するＣＣＤ(２)と、画像処理時に使用されるＳＤＲＡＭ(３)と、所定の信号処理及び制御動作を実行するＡＳＩＣ(Application Specific I.C.)(４)と、種々の情報を格納するためのフラッシュメモリ(５)と、ＡＳＩＣ(４)及びフラッシュメモリ(５)の動作を制御するＣＰＵ(６)とを具えている。
又、該デジタルカメラは、撮影画像を記録するためのメモリカード(10)が差し込まれるカードソケット(７)と、複数の操作キーからなる操作キー群(11)と、操作キー群(11)に対する操作を検知する入力制御回路(９)とを具えている。
更に、該デジタルカメラは、“ＵＳＢ  ＯＴＧ”規格に準拠したＵＳＢコネクタ(８)を具えており、パーソナルコンピュータのみならず、他のカメラやプリンタを直接に接続することが可能である。該ＵＳＢコネクタ(８)は、形状の異なる２種類のケーブルプラグＡ、Ｂを互換性をもって差し込むことが可能であって、接続された機器との間では、プラグＡが差し込まれた場合にマスター装置として動作を実行する一方、プラグＢが差し込まれた場合にスレーブ装置として動作を実行する。
【００１５】
前記ＡＳＩＣ(４)は、前記撮影レンズ(１)を駆動するモータ(図示省略)を制御するモータ制御回路(41)と、前記ＣＣＤ(２)の動作を制御するＣＣＤ制御回路(42)と、前記ＳＤＲＡＭ(３)に対する書込み及び読出しを行なうＳＤＲＡＭ制御回路(43)と、前記フラッシュメモリ(５)に対する書込み及び読出しを行なうフラッシュメモリ制御回路(44)とを具えている。又、ＡＳＩＣ(４)は、入力された音声信号に所定の信号処理を施す音声制御回路(45)と、メモリカード(10)に対する書込み及び読出しを行なうメモリカード制御回路(46)と、前記ＵＳＢコネクタ(８)に接続されたパーソナルコンピュータや他のカメラとＣＰＵ(６)との間で通信を行なうＵＳＢ制御回路(47)と、前記入力制御回路(９)とＣＰＵ(６)との間で通信を行なうシリアル通信回路(48)とを具えている。これらのモータ制御回路(41)、ＣＣＤ制御回路(42)、ＳＤＲＡＭ制御回路(43)、フラッシュメモリ制御回路(44)、音声制御回路(45)、メモリカード制御回路(46)、ＵＳＢ制御回路(47)及びシリアル通信制御回路(48)はバス(40)に接続されており、該バス(40)に、上述のフラッシュメモリ(５)及びＣＰＵ(６)が接続されている。
【００１６】
上記デジタルカメラは、撮影条件として、シャッター速度、レンズの絞り値、ストロボの発光条件、撮影画像の大きさ、撮影画像の画質、ズーム率、ホワイトバランス値、撮影画像の鮮明さ、及び時刻表示の有無を設定することが可能であって、ユーザにより撮影条件を設定する操作が行なわれると、それらの撮影条件を表わす撮影条件情報がフラッシュメモリ(５)に格納される。その後、ユーザによりシャッターボタンが押下されると、フラッシュメモリ(５)に格納されている撮影条件情報に応じた撮影動作が実行される。尚、撮影条件情報をＳＤＲＡＭ(３)に格納する構成を採用することも可能である。
【００１７】
又、本実施例のデジタルカメラは、フラッシュメモリ(５)に格納されている撮影条件情報を他のカメラに送信する機能を有すると共に、他のカメラから撮影条件情報を受信して該撮影条件情報をフラッシュメモリ(５)を格納する機能を有している。
図２及び図３は、上記ＣＰＵ(６)によって実行される撮影条件情報送受信手続きを表わしている。先ずステップＳ１にて、ＵＳＢコネクタ(８)にケーブルプラグが差し込まれたか否かを判断し、ノーと判断された場合にはステップＳ１にて同じ判断を繰り返す。
一方、ＵＳＢコネクタ(８)にケーブルプラグが差し込まれてステップＳ１にてイエスと判断された場合には、ステップＳ２に移行して、ＵＳＢコネクタ(８)に差し込まれたプラグがプラグＡ及びプラグＢの何れのプラグであるかを判断する。
【００１８】
ステップＳ２にてプラグＡであると判断された場合には、マスター装置として、後述のステップＳ３〜ステップＳ６の手続きを実行する。
即ち、ステップＳ３では、ユーザにより送信キーが押下されたか否かを判断し、ノーと判断された場合にはステップＳ４にて同じ判断を繰り返し、その後、ユーザにより送信キーが押下されると、ステップＳ４にて、情報を送信する旨の情報送信コマンドをＵＳＢ制御回路(47)に出力する。続いてステップＳ５では、前記情報送信コマンドを受信した旨の確認コマンドをＵＳＢ制御回路(47)から受信したか否かを判断し、ノーと判断された場合にはステップＳ５にて同じ判断を繰り返す。その後、ＵＳＢ制御回路(47)から確認コマンドを受信すると、ステップＳ６に移行して、フラッシュメモリ(５)に格納されている撮影条件情報をＵＳＢ制御回路(47)に出力して、手続きを終了する。
【００１９】
これに対し、上述のステップＳ２にてプラグＢであると判断された場合には、スレーブ装置として、図３のステップＳ７〜ステップＳ１０の手続きを実行する。
即ち、ステップＳ７では、情報送信コマンドをＵＳＢ制御回路(47)から受信したか否かを判断し、ノーと判断された場合にはステップＳ７にて同じ判断を繰り返し、その後、ＵＳＢ制御回路(47)から情報送信コマンドを受信すると、ステップＳ８にて確認コマンドをＵＳＢ制御回路(47)に出力する。続いてステップＳ９では、ＵＳＢ制御回路(47)からの撮影条件情報の受信が完了したか否かを判断し、ノーと判断された場合にはステップＳ９にて同じ判断を繰り返す。その後、撮影条件情報の受信が完了すると、ステップＳ９にてイエスと判断されてステップＳ１０に移行し、受信した撮影条件情報をフラッシュメモリ(５)に格納して、手続きを終了する。
【００２０】
例えば、初心者及び熟練者が本実施例のデジタルカメラを所有しており、初心者が自己のカメラに熟練者のカメラに設定されている撮影条件と同じ条件を設定せんとする際には、先ず、ケーブルプラグＢを自己のカメラのＵＳＢコネクタに差し込むと共にケーブルプラグＡを熟練者のカメラのＵＳＢコネクタに差し込んで、両カメラをケーブルによって互いに接続する。これによって、初心者のカメラにおいては、図２のステップＳ２にて差し込まれたプラグはプラグＢであると判断され、スレーブ装置として、図３のステップＳ７〜ステップＳ１０の手続きが実行されることになる。一方、熟練者のカメラにおいては、図２のステップＳ２にて差し込まれたプラグはプラグＡであると判断され、マスター装置として、ステップＳ３〜ステップＳ６の手続きが実行されることになる。
【００２１】
即ち、上述の如く両カメラをケーブルによって接続した後に熟練者のカメラの送信キーを押下すると、図４に示す如く熟練者のカメラから初心者のカメラに情報送信コマンドが送信され、初心者のカメラによって該コマンドが受信されると、初心者のカメラから熟練者のカメラに確認コマンドが送信される。熟練者のカメラによって該コマンドが受信されると、該カメラのフラッシュメモリ(５)に格納されている撮影条件情報が初心者のカメラに送信され、該撮影条件情報は、初心者のカメラにより受信されてフラッシュメモリ(５)に格納される。この様にして、初心者のカメラに熟練者のカメラの撮影条件と同じ条件が設定されることになる。その後、初心者が自己のカメラに撮影動作を実行させれば、熟練者と同じ高品質な撮影画像を得ることが出来る。
【００２２】
又、本実施例のデジタルカメラを複数台用いて被写体を複数の方向から撮影せんとする際には、それらのカメラの内、１台のカメラに所望の撮影条件を設定した後、ケーブルプラグＡを該カメラのＵＳＢコネクタに差し込むと共にケーブルプラグＢを他のカメラのＵＳＢコネクタに差し込んで、両カメラをケーブルによって互いに接続する。これによって、撮影条件が設定されている前記１台のカメラにおいては、図２のステップＳ２にて差し込まれたプラグはプラグＡであると判断され、マスター装置として、ステップＳ３〜ステップＳ６の手続きが実行される一方、前記他のカメラにおいては、図２のステップＳ２にて差し込まれたプラグはプラグＢであると判断され、スレーブ装置として、図３のステップＳ７〜ステップＳ１０の手続きが実行されることになる。この結果、前記他のカメラに前記所望の撮影条件が設定されることになる。以下、同様にして、前記他のカメラ以外の他のカメラに前記所望の撮影条件を設定する。その後、全てのカメラに撮影動作を実行させれば、全てのカメラから均一な撮影画像を得ることが出来る。
【００２３】
又、本実施例のデジタルカメラは、同じ機種のカメラに限らず、機種の異なるカメラを接続することも可能であって、機種の異なるカメラが接続された場合には、上述の複数の撮影条件の内、一部の撮影条件、例えばシャッター速度、レンズの絞り値及び撮影画像の大きさのみを同じ条件に設定して撮影動作を実行する。従って、機種の異なるカメラと同等の品質を有する撮影画像を得ることが出来る。
【００２４】
本実施例のデジタルカメラにおいては、上述の如く、撮影条件が設定されているカメラを接続した状態で該カメラの送信キーを押下するだけで、そのカメラに設定されている撮影条件と同じ条件が自動的に設定されるので、従来のデジタルカメラに比べて操作が簡易である。
【００２５】
第２実施例
第１実施例のデジタルカメラは、プラグＡが差し込まれた場合に、マスター装置の動作として撮影条件情報を送信するものであるのに対し、本実施例のデジタルカメラは、プラグＢが差し込まれた場合に、スレーブ装置の動作として撮影条件情報を送信するものである。尚、本実施例のデジタルカメラの電気的構成は、図１に示す第１実施例のデジタルカメラと同一である。
【００２６】
図５及び図６は、本実施例のＣＰＵによって実行される撮影条件情報送受信手続きを表わしており、先ずステップＳ１１にて、ＵＳＢコネクタにケーブルプラグが差し込まれたか否かを判断し、ノーと判断された場合にはステップＳ１１にて同じ判断を繰り返す。
一方、ＵＳＢコネクタにケーブルプラグが差し込まれてステップＳ１１にてイエスと判断された場合には、ステップＳ１２に移行して、ＵＳＢコネクタに差し込まれたプラグがプラグＡ及びプラグＢの何れのプラグであるかを判断する。
【００２７】
ステップＳ１２にてプラグＡであると判断された場合には、マスター装置として、後述のステップＳ１３〜ステップＳ１７の手続きを実行する。
即ち、ステップＳ１３では、コマンドを要求する旨の要求コマンドをＵＳＢ制御回路から受信したか否かを判断し、ノーと判断された場合にはステップＳ１３にて同じ判断を繰り返す。その後、ＵＳＢ制御回路から要求コマンドを受信すると、ステップＳ１４に移行して、情報を受信することが可能である旨の情報受信コマンドをＵＳＢ制御回路に出力する。続いてステップＳ１５では、ＵＳＢ制御回路からの撮影条件情報の受信が完了したか否かを判断し、ノーと判断された場合にはステップＳ１５にて同じ判断を繰り返す。その後、撮影条件情報の受信が完了すると、ステップＳ１５にてイエスと判断されてステップＳ１６に移行し、受信した撮影条件情報をフラッシュメモリに格納する。最後に、ステップＳ１７にて、撮影条件の設定が完了した旨の設定完了コマンドをＵＳＢ制御回路に出力して、手続きを終了する。
【００２８】
これに対し、上述のステップＳ１２にてプラグＢであると判断された場合には、スレーブ装置として、図６のステップＳ１８〜ステップＳ２２の手続きを実行する。
即ち、ステップＳ１８では、ユーザにより送信キーが押下されたか否かを判断し、ノーと判断された場合にはステップＳ１８にて同じ判断を繰り返す。その後、ユーザにより送信キーが押下されると、ステップＳ１９にて要求コマンドをＵＳＢ制御回路に出力し、続いてステップＳ２０では、情報受信コマンドをＵＳＢ制御回路から受信したか否かを判断し、ノーと判断された場合にはステップＳ２０にて同じ判断を繰り返す。その後、ＵＳＢ制御回路から情報受信コマンドを受信すると、ステップＳ２１に移行して、フラッシュメモリに格納されている撮影条件情報をＵＳＢ制御回路に出力し、続いてステップＳ２２では、設定完了コマンドをＵＳＢ制御回路から受信したか否かを判断し、ノーと判断された場合にはステップＳ２２にて同じ判断を繰り返す。その後、ＵＳＢ制御回路から設定完了コマンドを受信すると、その時点で手続きを終了する。
【００２９】
例えば、初心者及び熟練者が本実施例のデジタルカメラを所有しており、初心者が自己のカメラに熟練者のカメラに設定されている撮影条件と同じ条件を設定せんとする際には、先ず、ケーブルプラグＡを自己のカメラのＵＳＢコネクタに差し込むと共にケーブルプラグＢを熟練者のカメラのＵＳＢコネクタに差し込んで、両カメラをケーブルによって互いに接続する。これによって、初心者のカメラにおいては、図５のステップＳ１２にて差し込まれたプラグはプラグＡであると判断され、マスター装置として、ステップＳ１３〜ステップＳ１７の手続きが実行されることになる。一方、熟練者のカメラにおいては、図５のステップＳ１２にて差し込まれたプラグはプラグＢであると判断され、スレーブ装置として、図６のステップＳ１８〜ステップＳ２２の手続きが実行されることになる。
【００３０】
即ち、上述の如く両カメラをケーブルによって接続した後に熟練者のカメラの送信キーを押下すると、図７に示す如く熟練者のカメラから初心者のカメラに要求コマンドが送信され、初心者のカメラによって該コマンドが受信されると、初心者のカメラから熟練者のカメラに情報受信コマンドが送信される。熟練者のカメラによって該コマンドが受信されると、該カメラのフラッシュメモリに格納されている撮影条件情報が初心者のカメラに送信され、該撮影条件情報は、初心者のカメラにより受信されてフラッシュメモリに格納される。撮影条件情報の格納が完了すると、初心者のカメラから熟練者のカメラに設定完了コマンドが送信される。この様にして、初心者のカメラに熟練者のカメラの撮影条件と同じ条件が設定されることになる。その後、初心者が自己のカメラに撮影動作を実行させれば、熟練者と同じ高品質な撮影画像を得ることが出来る。
【００３１】
又、本実施例のデジタルカメラを複数台用いて被写体を複数の方向から撮影せんとする際には、それらのカメラの内、１台のカメラに所望の撮影条件を設定した後、ケーブルプラグＢを該カメラのＵＳＢコネクタに差し込むと共にケーブルプラグＡを他のカメラのＵＳＢコネクタに差し込んで、両カメラをケーブルによって互いに接続する。これによって、撮影条件が設定されている前記１台のカメラにおいては、図５のステップＳ１２にて差し込まれたプラグはプラグＢであると判断され、スレーブ装置として、図６のステップＳ１８〜ステップＳ２２の手続きが実行される一方、前記他のカメラにおいては、図５のステップＳ１２にて差し込まれたプラグはプラグＡであると判断され、マスター装置として、ステップＳ１３〜ステップＳ１７の手続きが実行されることになる。この結果、前記他のカメラに前記所望の撮影条件が設定されることになる。以下、同様にして、前記他のカメラ以外の他のカメラに前記所望の撮影条件を設定する。その後、全てのカメラに撮影動作を実行させれば、全てのカメラから均一な撮影画像を得ることが出来る。
【００３２】
本実施例のデジタルカメラにおいては、上述の如く、撮影条件が設定されているカメラを接続した状態で該カメラの送信キーを押下するだけで、そのカメラに設定されている撮影条件と同じ条件が自動的に設定されるので、従来のデジタルカメラに比べて操作が簡易である。
【００３３】
尚、本発明の各部構成は上記実施の形態に限らず、特許請求の範囲に記載の技術的範囲内で種々の変形が可能である。
例えば、無線通信によって撮影条件情報の送受信を行なう構成を採用することも可能である。かかる構成においては、例えば、ユーザによって送信動作及び受信動作の何れの動作を実行すべきかを表わす情報が入力される。
【図面の簡単な説明】
【００３４】
【図１】本発明に係るデジタルカメラの構成を表わすブロック図である。
【図２】第１実施例のデジタルカメラにおいて実行される撮影条件情報送受信手続きを表わすフローチャートである。
【図３】図２の分図である。
【図４】上記デジタルカメラを２台接続した場合に両カメラ間で行なわれるコマンド送受信の手順を表わす図である。
【図５】第２実施例のデジタルカメラにおいて実行される撮影条件情報送受信手続きを表わすフローチャートである。
【図６】図５の分図である。
【図７】上記デジタルカメラを２台接続した場合に両カメラ間で行なわれるコマンド送受信の手順を表わす図である。
【符号の説明】
【００３５】
(１)  撮影レンズ
(２)  ＣＣＤ
(３)  ＳＤＲＡＭ
(４)  ＡＳＩＣ
(５)  フラッシュメモリ
(６)  ＣＰＵ
(８)  ＵＳＢコネクタ
(10)  メモリカード
(11)  操作キー群
【図１】
2005073201.tif 000003
【図２】
2005073201.tif 000004
【図３】
2005073201.tif 000005
【図４】
2005073201.tif 000006
【図５】
2005073201.tif 000007
【図６】
2005073201.tif 000008
【図７】
2005073201.tif 000009